(57)【要約】【課題】家屋やビルなどにおいて、外部からの熱を侵入し難くすることによって室内空間の温度上昇を抑制し、冷房費の節約などによる省エネルギー化の促進を図ることのできる建造物およびその建造物の施工方法を提供することを目的とする。【解決手段】室内空間における側方の外部空間との境界部分に立設されるガラス窓や外壁材などの立設部材と、当該室内空間における上方の外部空間との境界部分に設けられる屋根や屋上などの屋根部材とを具備してなる建造物１において、前記立設部材の少なくとも一部と屋根部材の表面に赤外線を反射させる赤外線反射吸収材を設ける。また、外壁材や屋根パネルなどの表裏に赤外線反射吸収材を塗布した状態で建造物１の構造体に取り付けるようにする。【選択図】図１
2007177606.tif 000002
【特許請求の範囲】
【請求項１】
複数の建造物と、当該建造物の間に道路、地面などを有してなる土地構造において、前記建造物の外装部分および当該建造物の周囲の道路、地面に赤外線を反射もしくは吸着させるための赤外線反射吸収材を設けたことを特徴とする土地構造。
【請求項２】
地面に立設して設けられる外壁パネルや窓ガラスなどの立設部材と、当該立設部材の上方に設けられる屋根や屋上などの屋根部材とを設けてなる建造物において、前記立設部材および屋根部材に赤外線を反射もしくは吸着させる赤外線反射吸収材を設けるようにしたことを特徴とする建造物。
【請求項３】
前記地面の表面に防水膜を形成した後、当該防水膜の表面に赤外線反射吸収材を設けるようにしたことを特徴とする請求項２に記載の建造物。
【請求項４】
前記赤外線反射吸収材の表面に紫外線を反射し、もしくは吸着する紫外線反射吸収材を設けるようにしたことを特徴とする請求項２に記載の建造物。
【請求項５】
前記立設部材を構成する窓ガラスに対して赤外線反射吸収材を着脱可能に設けるようにしたことを特徴とする請求項２に記載の建造物。
【請求項６】
少なくとも前記窓ガラスの下方領域の地面に赤外線反射吸収材を設けるようにした請求項５に記載の建造物。
【請求項７】
前記立設部材または／および屋根部材の表裏に赤外線反射吸収材を設けるようにしたことを特徴とする請求項２に記載の建造物。
【請求項８】
地面に立設して設けられる外壁パネルや窓ガラスなどの立設部材と、当該立設部材の上方に設けられる屋根や屋上などの屋根部材とを設けてなる建造物の施工方法において、あらかじめ立設部材および屋根部材に赤外線反射吸収材を設けておき、当該立設部材および屋根部材を建造物の構造体に取り付けるようにしたことを特徴とする建造物の施工方法。
【請求項９】
地面に立設して設けられる外壁パネルや窓ガラスなどの立設部材と、当該立設部材の上方に設けられる屋根や屋上などの屋根部材とを設けてなる建造物の施工方法において、前記立設部材および屋根部材を構造体に取り付ける工程と、当該構造体に取り付けられた立設部材および屋根部材の表面に赤外線反射吸収材を塗布する工程を具備したことを特徴とする建造物の施工方法。
【請求項１０】
前記地面の表面に防水膜を形成した後、当該防水膜の表面に赤外線反射吸収材を設けるようにしたことを特徴とする請求項８または９に記載の建造物の施工方法。
【請求項１１】
前記赤外線反射吸収材の表面に紫外線反射吸収材を設けるようにした請求項８または９に記載の建造物の施工方法。
【請求項１２】
請求項８または９に記載の建造物の施工方法において、あらかじめ赤外線反射吸収材を有する敷設ブロックを設けておき、当該敷設ブロックを地面に敷設するようにしたことを特徴とする建造物の施工方法。
【請求項１３】
前記敷設ブロックが、赤外線反射吸収材を含有するように構成された請求項１２に記載の建造物の施工方法。
【発明の詳細な説明】
【技術分野】
【０００１】
本発明は、赤外線を反射・吸収することによって建物内部、もしくは、その敷地、開発団地、町全体の温度上昇を抑止し、ヒートアイランド現象を防止することによって省エネルギー化を図ることができるようにした土地構造および建造物などに関するものである。
【背景技術】
【０００２】
近年、省エネルギー化の観点から家屋やビルなどにおいても、外部の熱を室内空間に取り込ませないようにした構造が採用されている。このような外部からの熱を遮断する方法としては、例えば、家屋全体を板状ポリスチレンなどの断熱材で包み込むようにした外側断熱工法や、グラスウールなどの断熱材を柱や筋交いの間などに設けて断熱を行うようにした内側断熱工法などが存在する。図８は、その外側断熱工法による構造を示しており、６１は断熱材、６２は室内空間を示している。図８において、断熱材６１は、熱伝導率の低い材質で構成されており、表面側が太陽光で熱せられたとしても熱伝導率の低い素材によって熱を伝達させず、室内空間の温度をほぼ一定な状態に保つことができるようになる。また、図９は、内側断熱工法による構造を示している。図９において、７１は外壁材であり、７２は内壁材であり、７３はグラスウールである。このグラスウール７３は、外壁材７１と内壁材７２との間の隙間に挟み込まれるように設けられており、外側と内側の熱を遮断する。この内側断熱工法によれば、このグラスウールによって断熱効果を高めることができるため、室内空間の温度をほぼ一定に保つことができる。
【０００３】
さらに、近年では、このような壁面における断熱構造だけでなく、窓ガラスにも赤外線を反射できるようにしたガラス構造も提案されている（特許文献１、非特許文献１）。このようなガラスは、ガラス表面に赤外線を反射させるための赤外線反射材を塗布したものであり、この赤外線反射材によって外部からの赤外線を室内空間に入り込ませないようにしたものである。
【特許文献１】特許２９１３１７４号公報
【非特許文献１】「NTT AT 先端技術紹介サイト」(www.keytech.ntt-at.co.jp/environ/prd_4004.html)2006.1.25確認
【発明の開示】
【発明が解決しようとする課題】
【０００４】
しかしながら、このような断熱工法や窓ガラス構造などを用いても、完全に外部からの熱を遮断することができない。すなわち、上述のような断熱工法は、外部からの熱を反射させるものではないため、外部からの熱が外側断熱材やグラスウールなどに蓄積されてしまい、時間の経過とともに建造物全体に熱が蓄積されてしまう。このため、特に夏期などにおいては、徐々に室内空間の温度が上昇し、エアコンなどの消費電力が高くなってしまう。また、上述のような赤外線反射材を塗布した窓ガラスを用いた場合は、赤外線反射材によって赤外線をある程度反射することができるものの、このような窓ガラスを用いたとしても、そのガラスの周囲の外壁材や屋根などに熱が蓄積されてしまえば、室内空間の温度上昇を抑制することができない。
【０００５】
そこで、本発明は上記問題に着目してなされたもので、家屋やビルなどの建造物において、外部からの熱を室内空間に入り込ませないようにすることにするとともに、その建造物を取り囲む土地空間においても温度上昇を抑止し、エアコンなどによる消費電力などを抑制して省エネルギー化を図ることのできる土地構造および建造物などを提供することを目的とする。
【課題を解決するための手段】
【０００６】
すなわち、本発明は上記課題を解決するために、建造物の外装部分および当該建造物の周囲の道路、地面に赤外線を反射もしくは吸着させるための赤外線反射吸収材を設けようにする。
【０００７】
このようにすれば、例えば、一般家屋やビルなどにおいて外部からの赤外線を反射・吸収させることによって熱を内部に入り込ませないようにすることができ、室内空間における温度上昇を抑止してエアコンなどの消費電力を抑えることができる。また、その建造物の周囲の道路、歩道、公園などの適所においても赤外線反射吸収材を設けるようにしたので、地面から建造物への熱の伝導を防止することができ、さらには、室外において赤外線による温度上昇を防止することができるため、開発団地や町全体における省エネルギー化を図ることができるようになる。
【０００８】
また、このような地面に赤外線反射吸収材を設ける場合、地面の表面に防水膜を形成した後、その防水膜の表面に赤外線反射吸収材を設けるようにする。
【０００９】
このようにすれば、例えば、凹凸を有する地面に赤外線反射吸収材を設ける場合に、防水剤によって滑らかな下地を形成することができ、均一に赤外線反射吸収材を塗布することなどができる。しかも、その下地が防水剤となっているため、赤外線反射吸収材を塗布する場合に、赤外線反射吸収材が地面に染み込んでしまうことがなくなり、少ない塗布量で広い面積で赤外線反射吸収材を塗布することができるようになる。
【００１０】
さらには、このように赤外線反射吸収材を設ける場合、その表面に紫外線反射吸収材を設けるようにする。
【００１１】
このようにすれば、紫外線反射吸収材によって紫外線が反射されるため、赤外線反射吸収材の劣化を防止することができ、赤外線反射の効果を長期間持続させることができるようになる。
【００１２】
また、立設部材に赤外線反射吸収材を設ける場合、その立設部材を構成する窓ガラスに対しては、赤外線反射吸収材を着脱し、もしくは、剥離できるようにする。
【００１３】
このようにすれば、例えば、暑い時期などにおいては、赤外線反射吸収材を窓ガラスに取り付けておくことによって外部からの熱を遮断することができ、一方、寒い時期などにおいては、その赤外線反射吸収材を取り外すことによって、赤外線を室内空間に取り込み、室内空間を保温することができるようになる。
【００１４】
また、このように窓ガラスの赤外線反射吸収材を着脱等できるようにする場合、その窓ガラスの下方の地面に赤外線反射吸収材を設けておく。
【００１５】
このようにすれば、寒い時期などにおいては、太陽からの直接光と地面からの反射光を窓ガラス内に取り込むことができ、室内空間を暖めることができるようになる。一方、暑い時期などにおいては、窓ガラスに赤外線反射吸収材を取り付けることによって、赤外線を反射し、室内空間の温度上昇を防止することができるようになる。
【００１６】
また、立設部材や屋根部材に赤外線反射吸収材を設ける場合、立設部材や屋根部材の表裏に赤外線反射吸収材を設けておく。
【００１７】
このようにすれば、表側の赤外線反射吸収材だけでなく裏側の赤外線反射吸収材によって、より多くの赤外線を反射もしくは吸収することができ、より室内空間における温度上昇を防止することができる。
【００１８】
また、このように赤外線反射吸収材を設ける場合、あらかじめ赤外線反射吸収材を立設部材および屋根部材の表面に設けておき、そのような状態で立設部材および屋根部材を建造物の構造体に取り付けるようにする。
【００１９】
このようにすれば、外壁パネルや屋根パネルなどを建造物に取り付ける前に赤外線反射吸収材を塗布することができるので、工場内の設備を用いて効率よく塗布作業や乾燥作業などを行うことができる。しかも、その外壁パネルなどをそのまま建造物の構造体に取り付ければ、わざわざ高所に登って後から塗布するなどといった煩わしい作業をなくすことができるようになる。
【００２０】
また、別の方法として、立設部材および屋根部材を取り付けた後に、その立設部材や屋根部材の外側表面に赤外線反射吸収材を塗布する。
【００２１】
このような方法によれば、既存の建造物に対しても赤外線反射の効果を持たせることができるようになる。
【００２２】
また、地面に赤外線反射吸収材を設けるようにする場合、赤外線反射吸収材を含有させるようにする。
【００２３】
このようにすれば、例えば、自動車や歩行者が通行する場合であっても、その通行や歩行によって赤外線反射吸収材が剥がれてしまうようなことがなくなり、長期間にわたって赤外線反射による効果を持続させることができるようになる。
【発明の効果】
【００２４】
本発明では、建造物の外装部分および当該建造物の周囲の道路、地面に赤外線を反射もしくは吸着させるための赤外線反射吸収材を設けるようにしたので、一般家屋やビルなどにおいては外部からの赤外線を反射・吸収させることで熱の侵入を防止することができ、室内空間における温度上昇を抑止してエアコンなどの消費電力を抑えることができる。また、その建造物の周囲の道路、歩道、公園などの適所においても赤外線反射吸収材を設けるようにしたので、地面から建造物への熱の伝導を防止することができ、さらには、室外において赤外線による温度上昇を防止することができるため、開発団地や町全体における省エネルギー化を図ることができるようになる。
【発明を実施するための最良の形態】
【００２５】
以下、本発明の一実施の形態について図面を参照して説明する。この実施の形態における省エネルギー土地空間Ｓは、図１に示すように、複数の建造物１と道路、歩道、公園、庭などの土地１０からなる開発団地や市町村などにおいて、建造物１の外装部分に赤外線を反射・吸収させる赤外線反射吸収材５０を設けるとともに、その建造物１の周囲の道路、歩道、公園、庭などにおいても、その表面に赤外線を反射・吸収させることによって路面温度の上昇を防止できるようにした赤外線反射吸収材５０を設けるようにしたものである。
【００２６】
まず、赤外線反射吸収材で囲まれた建造物１について説明すると、建造物１は、図２に示すように、敷地や道路、歩道などの地面１０に対して立設する外壁パネル２や窓ガラスユニット３などの立設部材と、屋根パネル４や瓦などの屋根部材を有するようにしたもので、その外壁パネル２や窓ガラスユニット３、屋根パネル４などに赤外線反射吸収材５０を塗布するようにしたものである。このような赤外線反射吸収材５０を建造物全体に設けるようにする方法としては、例えば、あらかじめ外壁パネル２や屋根パネル４などの建材に赤外線反射吸収材５０を塗布しておき、これを建築構造体に取り付けるような方法を用いる。前者の方法は、特に、高層住宅や高層ビルなどに対して有効であり、工場設備を用いてあらかじめ外壁パネル２や屋根パネル４などに赤外線反射吸収材５０を均一に塗布・乾燥させることができる。しかも、この建材を建造物１の構造体に取り付けるようにするだけで建造物１のほぼ全体を赤外線反射吸収材５０で覆うことができ、後から塗布作業するなどといった煩わしい作業を省くことができる。但し、既に建てられている建造物１に対しては、このような施工方法を用いることができないため、外壁パネル２や屋根パネル４などの表面に赤外線反射吸収材５０を塗布するようにする。なお、このような先塗りや後塗りの方法については、いずれの方法を採用するようにしてもよく、もしくは、両者の方法を兼用するようにしてもよい。
【００２７】
建造物１に取り付けられる外壁パネル２としては、例えば、窯業サイディングや金属製サイディング、木製サイディングなどの種類が用いられ、好ましくは、熱伝導率の低いサイディングを用いる。もちろん、これ以外のサイディングを用いてもよい。この実施の形態では、これらのサイディングの外側表面（外部空間に表出している側の面）に建材の段階で赤外線反射吸収材５０を塗布しておく。
【００２８】
この赤外線反射吸収材５０としては、少なくとも赤外線を３０％以上反射させる赤外線反射膜を形成する希釈溶媒などを用いる。この希釈溶媒は、例えば、バインダーに対して１重量％以上５重量％以下で平均粒径１００ｎｍ以下の六ホウ化ランタン微粒子と、バインダーに対して２重量％以上１０重量％以下で平均粒径１００ｎｍ以下の酸化水酸化鉄と、バインダーに対して３重量％以上１０重量％以下のベンゾフェノン系またはベンゾトリアゾール系の有機紫外線吸収材料や常温硬化性バインダーや希釈溶媒などを用いる。このような希釈溶媒などを用いれば、溶媒が透明であるので、基材の色をそのまま活かすことができる。また、赤外線反射吸収材５０としては、このような溶媒だけでなく、例えば、一液弱溶剤反応硬化型シリコン変性樹脂塗料など、種々の塗料を使用することもできる。なお、ここで、赤外線反射吸収材とは、赤外線を反射吸収することによって、赤外線の透過量を少なくすることのできる塗料や粒状体、或いは、フィルムなどの形成体や組成物をいう。
【００２９】
そして、この赤外線反射吸収材５０の表面には、図３に示すように、紫外線反射吸収材５１が塗布される。この紫外線反射吸収材５１としては、例えば、３００〜３８０ｎｍの波長域の光透過率を１０％以下にできる溶剤であって、フェノキシ樹脂、アクリル樹脂、メラミン樹脂などの樹脂を１０〜４０重量％含み、また、ベンゾトリアゾール類、ベンゾフェノン類などの紫外線吸収材０．２〜１０重量％、光学増輝剤を樹脂固形分の１〜６重量％含有するビヒクルなどを用いる。この紫外線反射吸収材５１は、赤外線反射吸収材５０を乾燥させた後にその表面に塗布する。この紫外線反射吸収材５１としても、外壁パネル２などの色や質感を活かす場合は、透明なものを用いるのが好ましい。
【００３０】
赤外線反射吸収材５０や紫外線反射吸収材５１を外壁パネル２に塗布する場合、まず、建材の段階でその外側表面に塗布する。また、赤外線の反射率を高くするには、外壁パネル２の裏面にも同種もしくは異種の赤外線反射吸収材５０を塗布する。このように建材の裏側にも塗布すれば、赤外線の反射効率を向上させることができる。なお、外壁パネル２の裏面については、基材の色や質感、耐久性などの条件に拘束されることがないため、比較的低価格で反射率の高い赤外線反射吸収材５０を用いてもよい。また、裏面側に赤外線反射吸収材５０を塗布する場合は、比較的厚みをもって反射膜を形成する。
【００３１】
一方、窓ガラスユニット３についても、図４に示すように、窓ガラス３１部分およびその周囲に設けられたアルミサッシなどにも赤外線反射吸収材５０や紫外線反射吸収材５１を塗布しておく。ただし、窓ガラス３１部分については、視界を良好なものにするため、無色透明な赤外線反射吸収材５０や紫外線反射吸収材５１を用いる。上述の透明熱線紫外線遮蔽膜は無色透明なものであり、しかも赤外線や紫外線を反射させることができる。また、アルミサッシ部分については、光沢部分によって赤外線を多く反射するため、そのままの状態にしておくか、もしくは、その表面にも同様の赤外線反射吸収材５０や紫外線反射吸収材５１を設ける。
【００３２】
窓ガラス３１に赤外線反射吸収材５０や紫外線反射吸収材５１を塗布する場合、あらかじめ工場で赤外線反射吸収材５０を塗布しておき、その状態で枠組みされたアルミサッシなどに取り付ける。なお、窓ガラス３１に赤外線反射吸収材５０を塗布する場合、冬期などにおいては、赤外線がカットされて室内空間の温度を上昇させることができなくなる可能性がある。そのため、好ましくは、剥離可能な赤外線反射膜を形成するか、或いは、あらかじめ窓ガラス３１の枠の大きさに対応した赤外線反射フィルムを形成しておき、そのフィルムを窓ガラス３１に密着させる。このようにすれば、夏期などにおいては赤外線反射膜やフィルムなどを取り付けることによって室内空間の温度上昇を抑制することができる一方、冬期などにおいては赤外線反射膜やフィルムなどを取り外すことによって室内空間を暖めることができる。なお、比較的温暖な地域においては、赤外線などを常にカットしておくのが好ましいため、ガラスの外側表面と内側表面の両側に赤外線反射吸収材５０や紫外線反射吸収材５１を塗布する。ただし、ガラスの外側表面については、外部からの風雨や埃、砂などによって劣化が激しくなる可能性があり、また、内側表面については結露や窓拭き掃除などによって塗布膜が剥がれるおそれがある。このため、ペアガラスなどを用いる場合については、外側ガラス３１ａにおける内側表面と内側ガラス３１ｂにおける外側表面に赤外線反射吸収材５０などを塗布するとよい。このようにすれば、外側で風雨や埃、砂などに晒されることもなく、また、内側で結露や窓拭き掃除によって剥がれを生じることを防止することができるようになる。
【００３３】
また、屋根部材についても同様に、図６に示すように、あらかじめ屋根パネル４や屋上敷設部材に赤外線反射吸収材５０や紫外線反射吸収材５１を塗布しておく。そして、このように赤外線反射吸収材５０や紫外線反射吸収材５１を塗布した状態で建物の構造体に取り付ける。屋根パネル４などについては、外壁材よりも熱線の量も多く、また、高い防水性が要求されるため、上述のような透明熱線紫外線遮蔽膜を形成する塗料の他、防水性・防カビ性・低汚染性などに優れた赤外線反射吸収材５０を用いる。このような赤外線反射吸収材５０としては、例えば、溶剤２液型シリコン変性樹脂塗料や、アクリルシリコン樹脂エマルション塗料、水性反応硬化形変成シリコン樹脂、ターペン可溶一液反応硬化形変成シリコン樹脂などがある。このような赤外線反射吸収材５０を屋根パネル４に塗布する場合についても同様に、屋根パネル４の色や質感などを活かす必要がある場合は、透明な赤外線反射吸収材５０を塗布する。ただし、着色された赤外線反射吸収材５０を用いるようにしてもよいのはもちろんである。また、赤外線の反射効率をよくするために、屋根部材の裏面にも同一もしくは異種の赤外線反射吸収材５０を塗布しておくこともできる。そして、この赤外線反射吸収材５０の上層に、前述の紫外線反射吸収材５１を塗布して赤外線反射吸収材の劣化を防止する。
【００３４】
道路や歩道などの地面１０については、透水性アスファルトなどのような透水性を有する地面１０に赤外線反射吸収材５０を塗布すると、その塗料が地中に染み込んでしまう可能性がある。このため、あらかじめ地面１０に防水剤を塗布しておき、その表面から赤外線反射吸収材５０を塗布する。赤外線反射吸収材５０の塗布領域については、建造物１の周囲、道路、団地全体に広げるようにしてもよい。塗布領域を大きくした場合は、街全体におけるヒートアイランド現象を防止することができる。一方、建造物１の近傍では、少なくとも窓ガラス３１の下方領域の地面１０に赤外線反射吸収材５０を塗布する。このようにすれば、地面１０で反射した赤外線が窓ガラス３１に照射されるため、冬期などにおいては窓ガラス３１の赤外線反射吸収材５０取り外すことによって、直接光と地面からの反射光を室内空間に取り込むことができる。なお、道路や歩道などに赤外線反射吸収材５０を塗布する場合は、自動車の通行や人間の歩行によって赤外線反射吸収材５０の膜が剥がれ落ちてしまう可能性がある。このため、赤外線反射吸収材５０を成分として含む敷設ブロック体を設けておき、これを道路などに敷設するとよい。
【００３５】
次に、このように構成された外壁パネル２や窓ガラスユニット３・屋根パネル４などを建造物１の構造体に取り付ける場合の工程について説明する。
【００３６】
まず、外壁パネル２などを建造物１の構造体に取り付ける場合、あらかじめ工場などにおいて外壁パネル２や窓ガラスユニット３・屋根パネル４などに赤外線反射吸収材５０を塗布し、乾燥ルームなどにおいて乾燥させる。そして、その後、表面に紫外線反射材を塗布し、同様に乾燥ルームにおいて乾燥させる。そして、このように赤外線反射吸収材５０や紫外線反射吸収材５１を設けた状態で、その外壁パネル２や窓ガラスユニット３・屋根パネル４などを現場に運搬し、建造物１の構造体に取り付けていく。この際、可能であれば、建造物１の下地となる外側合板の表面にも赤外線反射吸収材５０を塗布しておき、その上から外壁パネル２や屋根パネル４を取り付けていく。
【００３７】
そして、最後に、その建造物１の周囲の地面１０に防水剤を塗布し、その防水剤によって形成された防水膜１１の表面に赤外線反射吸収材５０を塗布する。
【００３８】
上述のように、建造物１や土地全体を赤外線反射吸収材５０で覆うようにすれば、太陽光に含まれる赤外線を表面で反射することができ、外壁材やグラスウールなどの建物の内側の断熱材に熱が蓄積されるようなことがなくなる。このため、室内空間の温度上昇を抑制することができ、冷房費の節減を図り、ひいては省エネルギー化を促進することができるようになる。
【００３９】
さらには、地面１０および外壁パネル２、窓ガラス３１、屋根パネル４に赤外線反射吸収材５０を塗布するようにしたので、地面１０においても赤外線を反射することができ、地面１０からの熱の伝導を防止することができる。
【００４０】
また、このように地面１０に赤外線反射吸収材５０を設ける場合、表面に防水膜１１を形成した後、その防水膜１１の表面に赤外線反射吸収材５０を設けるようにしたので、その防水膜１１によって滑らかな下地を形成でき、均一に赤外線反射膜を形成することができる。しかも、その下地が防水性を有しているので、赤外線反射吸収材５０が地面１０に染み込むことがなくなり、少ない塗布量で広い面積塗布することができるようになる。
【００４１】
さらには、このように赤外線反射吸収材５０を設ける場合、その表面に紫外線反射吸収材５１を設けるようにしたので、紫外線反射吸収材５１によって紫外線が反射吸収され、赤外線反射吸収材５０が劣化することがなくなる。これにより、赤外線反射吸収材５０の効果を長期間持続させることができるようになる。
【００４２】
また、窓ガラス３１に対して赤外線反射吸収材５０を取り外しできるようにしたので、例えば、夏期においては、赤外線反射吸収材５０を設けておくことによって外部からの熱を遮断し、また、冬期においては、その赤外線反射吸収材５０を取り外すことによって、外部から赤外線を室内空間に取り入て室内空間を保温することができるようになる。
【００４３】
また、このように窓ガラス３１の赤外線反射吸収材５０を取り外せるようにする場合、その窓ガラス３１の下方領域の地面１０に赤外線反射吸収材５０を設けておくようにしたので、冬期においては、窓ガラス３１の赤外線反射吸収材５０を取り外すことによって、太陽からの直接光と地面１０からの反射光を室内空間に取り込むことができ、より室内空間を保温することができるようになる。
【００４４】
また、外壁パネル２や屋根パネル４に赤外線反射吸収材５０を設ける場合、その外壁パネル２や屋根パネル４の表裏に赤外線反射吸収材５０を設けるようにしたので、より多くの赤外線を反射することができるようになる。
【００４５】
また、このように赤外線反射吸収材５０を設ける場合、あらかじめ赤外線反射吸収材５０を外壁パネル２や屋根パネル４の表面に設けておき、その状態で外壁パネル２や屋根パネル４を建造物１の構造体に取り付けるようにしたので、施工後に高所まで登って赤外線反射吸収材５０を塗布するといった煩わしい作業をなくすことができる。
【００４６】
なお、本発明は上記実施の形態に限定されることなく、種々の態様で実施できる。
【００４７】
例えば、上記実施の形態では、建材の段階で赤外線反射吸収材５０や紫外線反射吸収材５１を塗布するようにしているが、これに限らず、外壁パネル２や屋根パネル４などを構造体に取り付けた後に、その表面に赤外線反射吸収材５０を塗布するようにしてもよい。このような方法は、すでに建て終わっている家屋１などに対して赤外線反射のための処理を行う場合に特に有効となる。また、上記実施の形態では、建材の段階で赤外線反射吸収材５０や紫外線反射吸収材５１を塗布するようにしているが、部分的に直接建造物１の表面に塗布するようにしてもよい。この場合としては、例えば、家屋１の正面に外壁パネル２を取り付けておき、家屋１の側面だけをコンクリートとしておくような場合が考えられる。このような場合、家屋１の正面側にだけ赤外線反射吸収材５０を塗布した状態の外壁パネル２を取り付け、家屋１の側面にはコンクリート面上から直接赤外線反射吸収材５０を塗装するとよい。もちろん、隣接する家屋１との隙間が狭く、太陽光の差し込む余地がない場合は、その側面には赤外線反射吸収材５０を塗布しなくてもよい。
【００４８】
また、上記実施の形態では、赤外線反射吸収材５０や紫外線反射吸収材５１を外壁パネル２などに塗布する場合について説明したが、このような塗布する場合に限らず、外壁パネル２や窓ガラス３１、屋根パネル４自体を赤外線反射吸収材５０で構成するようにしてもよい。
【００４９】
さらに、上記実施の形態では、立設部材や屋根部材の例として、外壁パネル２や屋根パネル４などを挙げて説明したが、これに限らず、側壁を形成する構造体を立設部材とし、これに赤外線反射吸収材５０を塗布するようにしてもよく、また、屋根部材については、屋上を屋根部材とし、これに赤外線反射吸収材５０を塗布するようにしてもよい。
【図面の簡単な説明】
【００５０】
【図１】本発明の一実施の形態における省エネルギー土地空間を示す図
【図２】同形態における建造物の概要を示す図
【図３】同形態における外壁材と建築構造体の取り付け部分の断面を示す図
【図４】同形態における窓ガラスの断面を示す図
【図５】同形態における他の窓ガラスの断面を示す図
【図６】同形態における屋根パネルの構造を示す図
【図７】同形態における地面に赤外線反射吸収材を塗布した状態を示す図
【図８】従来における外側断熱工法による壁面構造を示す図
【図９】従来における内側断熱工法による壁面構造を示す図
【符号の説明】
【００５１】
１・・・家屋（建造物）
２・・・外壁パネル
３・・・窓ガラスユニット
３１・・・窓ガラス
３１ａ・・・外側ガラス
３１ｂ・・・内側ガラス
３２・・・アルミサッシ
４・・・屋根パネル
１０・・・地面
１１・・・防水膜
５０・・・赤外線反射吸収材
５１・・・紫外線反射吸収材
６１・・・断熱材
６２・・・室内空間
７１・・・外壁材
７２・・・内壁材
７３・・・グラスウール
Ｓ・・・省エネルギー土地空間
【図１】
2007177606.tif 000003
【図２】
2007177606.tif 000004
【図３】
2007177606.tif 000005
【図４】
2007177606.tif 000006
【図５】
2007177606.tif 000007
【図６】
2007177606.tif 000008
【図７】
2007177606.tif 000009
【図８】
2007177606.tif 000010
【図９】
2007177606.tif 000011